(57)【要約】【課題】  シート状の面状光源を備えた読取装置において、固体検出器のＳ／Ｎの低下を防止するとともに、光量のローカリティを低下させる。【解決手段】  複数のエレメント３５を備えた導電層３１、有機ＥＬ層３２、導電層３３から成る面状光源３０を駆動する光源制御手段４０を、隣接する２本のエレメント３５毎に直流電圧を印加する際に、隣接する２本のエレメント３５のうち、一方のエレメント３５の一端３５ａに駆動電圧Ｖ１を、他端３５ｂに駆動電圧の９５％の電圧Ｖ２を印加し、他方のエレメント３５の一端３５ａに第２の電圧Ｖ２を、他端３５ｂに第１の電圧Ｖ１を印加することにより、ＥＬ層を発光させるものとして、隣接する２本のエレメント３５に互いに逆向きの電流を流すようにする。【選択図】          図２
2005058525.tif 000002
【特許請求の範囲】
【請求項１】
画像情報を静電潜像として記録した固体検出器を読取光で走査することにより、前記固体検出器に前記静電潜像に応じた電流を発生させる、前記固体検出器の読取装置であって、
第１の導電層、無機ＥＬ材料もしくは有機ＥＬ材料からなるＥＬ層、および、多数の線状電極からなる第２の導電層をこの順に積層してなる面状光源と、
隣接する２本の線状電極毎に、順次該隣接する２本の線状電極と前記第１の導電層との間に電圧を印加して前記ＥＬ層を発光させ、前記走査を行わせる光源制御手段とを備え、
該光源制御手段が、隣接する２本の線状電極のうち、一方の線状電極の一端に第１の電圧Ｖ１を、他端に該第１の電圧Ｖ１より小さい第２の電圧Ｖ２を印加し、他方の線状電極の前記一方の線状電極の一端側に位置する一端に前記第２の電圧Ｖ２を、他端に前記第１の電圧Ｖ１を印加することにより、前記ＥＬ層を発光させるものであることを特徴とする読取装置。
【請求項２】
画像情報を静電潜像として記録した固体検出器を読取光で走査することにより、前記固体検出器に前記静電潜像に応じた電流を発生させる、前記固体検出器の読取装置であって、
第１の導電層、無機ＥＬ材料もしくは有機ＥＬ材料からなるＥＬ層、および、多数のＵ字状電極からなる第２の導電層をこの順に積層してなる面状光源と、
前記Ｕ字状電極毎に、順次該Ｕ字状電極と前記第１の導電層との間に電圧を印加して前記ＥＬ層を発光させ、前記走査を行わせる光源制御手段とを備え、
該光源制御手段が、前記Ｕ字状電極の一端に第１の電圧Ｖ１を印加し、他端に該第１の電圧Ｖ１より小さい第２の電圧Ｖ２を印加することにより、前記ＥＬ層を発光させるものであることを特徴とする読取装置。
【請求項３】
前記第１の電圧Ｖ１および前記第２の電圧Ｖ２が、式Ｖ２≧０．９Ｖ１を満たすものであることを特徴とする請求項１または２記載の読取装置。
【発明の詳細な説明】
【技術分野】
【０００１】
本発明は画像情報を静電潜像として記録した固体検出器を読取光で走査することにより、固体検出器に静電潜像に応じた電流を発生させる、固体検出器の読取装置に関し、より詳細には、面状光源を駆動する光源制御手段に関するものである。
【背景技術】
【０００２】
従来より、医療用Ｘ線撮影等において、被験者の受ける被爆線量の減少、診断性能の向上等のために、Ｘ線等の放射線に感応する例えばａ−Ｓｅ（アモルファスセレン）から成るセレン板等の光導電体を用いた固体検出器を使用し、この固体検出器に放射線画像情報を担持するＸ線等の記録用の放射線を照射して、放射線画像情報を担持する潜像電荷を固体検出器の蓄電部に蓄積させ、その後レーザービーム等の読取光で固体検出器を走査することにより固体検出器内に生じる電流を固体検出器両側の平板電極あるいはストライプ電極を介して検出することにより、潜像電荷が担持する静電潜像、すなわち放射線画像情報を読み取るシステムが知られている（例えば、特許文献１、特許文献２等）。
【０００３】
また、本願出願人は、このような固体検出器と、読取光を固体検出器に対して走査露光せしめる読取用露光光源部と、静電潜像を記録する前に所定の量の前露光光を固体検出器の全面に照射する前露光光源と、読取光の走査露光により固体検出器に記録された静電潜像に応じて流れ出した電流を検出する電流検出手段等とをコンパクトな筐体に内蔵した可搬型の画像撮像装置を提案している（例えば、特許文献３等）。
【０００４】
ところで、上記特許文献３に記載されているような画像撮像装置において、前露光光源には、例えば、複数の外部電極型希ガス蛍光ランプと、波長選択フィルタと、蛍光ランプから出力された光を効率よく固体検出器側へ反射するための反射板等とからなる光源が用いられていたが、このような光源は厚みがあるため、画像撮像装置全体の幅が厚くなってしまっていた。
【０００５】
そのため、上記ような光源の代わりに、上記特許文献３では、第１の導電層、発光層（ＥＬ層）、および、多数の線状電極からなる第２の導電層をこの順に積層してなる面状光源と、面状光源を駆動する光源制御手段とを備えてなり、読取用露光光源と前露光光源とを兼ねたシート状の読取装置（ＥＬ光源）を用いることが提案されており、これにより、画像撮像装置の幅を薄くすることが可能となる。
【特許文献１】特開２０００−１０５２９７号公報
【特許文献２】特開２０００−２８４０５６号公報
【特許文献３】特開２００１−２９２９８３号公報
【発明の開示】
【発明が解決しようとする課題】
【０００６】
ところで、上記特許文献３に記載されているような読取装置においては、線状電極に電流を流すと電磁誘導現象が発生し、線状電極と直交する固体検出器の信号線に影響を与え、電流変化がノイズとなって信号線に混入し固体検出器のＳ／Ｎを低下させてしまう問題がある。
【０００７】
また、読取装置は、例えば４３０ｍｍ×４３０ｍｍのサイズの大面積の固体検出器のサイズと同じサイズに構成され、固体検出器の全面に前露光光を照射可能なように構成されているため、線状電極が長くなってその抵抗値が高くなる傾向にあり、面状光源を発光させるために、線状電極の一端、もしくは両端から電圧を印加した際に、線状電極の抵抗による電位の低下により、光量のローカリティが発生するという問題もある。
【０００８】
本発明は、上記事情に鑑みて、上記特許文献３に記載されているような、シート状の面状光源を備えた読取装置において、固体検出器のＳ／Ｎの低下を防止するとともに、光量のローカリティを低下させることを目的とするものである。
【課題を解決するための手段】
【０００９】
本発明による第１の読取装置は、画像情報を静電潜像として記録した固体検出器を読取光で走査することにより、固体検出器に静電潜像に応じた電流を発生させる、固体検出器の読取装置であって、第１の導電層、無機ＥＬ材料もしくは有機ＥＬ材料からなるＥＬ層、および、多数の線状電極からなる第２の導電層をこの順に積層してなる面状光源と、隣接する２本の線状電極毎に、順次隣接する２本の線状電極と第１の導電層との間に電圧を印加してＥＬ層を発光させ、走査を行わせる光源制御手段とを備え、光源制御手段が、隣接する２本の線状電極のうち、一方の線状電極の一端に第１の電圧Ｖ１を、他端に第１の電圧Ｖ１より小さい第２の電圧Ｖ２を印加し、他方の線状電極の一方の線状電極の一端側に位置する一端に第２の電圧Ｖ２を、他端に第１の電圧Ｖ１を印加することにより、ＥＬ層を発光させるものであることを特徴とするものである。
【００１０】
ここで、一方の線状電極の一端に印加する第１の電圧Ｖ１と、他方の線状電極の他端に印加する第１の電圧Ｖ１とは、厳密に同じである必要はなく、実質的に同じであればよい。同様に、一方の線状電極の他端に印加する第２の電圧Ｖ２と、他方の線状電極の一端に印加する第２の電圧Ｖ２とも、厳密に同じである必要はなく、実質的に同じであればよい。
【００１１】
また、本発明による第２の読取装置は、画像情報を静電潜像として記録した固体検出器を読取光で走査することにより、固体検出器に静電潜像に応じた電流を発生させる、固体検出器の読取装置であって、第１の導電層、無機ＥＬ材料もしくは有機ＥＬ材料からなるＥＬ層、および、多数のＵ字状電極からなる第２の導電層をこの順に積層してなる面状光源と、Ｕ字状電極毎に、順次Ｕ字状電極と第１の導電層との間に電圧を印加してＥＬ層を発光させ、走査を行わせる光源制御手段とを備え、光源制御手段が、Ｕ字状電極の一端に第１の電圧Ｖ１を印加し、他端に第１の電圧Ｖ１より小さい第２の電圧Ｖ２を印加することにより、ＥＬ層を発光させるものであることを特徴とするものである。
【００１２】
上記本発明による第１および第２の読取装置は、隣接する２本の線状電極（Ｕ字状電極の場合は直線部分）に対して互いに逆向きの電位勾配を持たせて、両者に互いに逆向きの電流が流れるようにし、線状電極に電流を流すことにより生じる電磁誘導現象を２本の線状電極間で互いに相殺して、固体検出器のＳ／Ｎの低下を防止するとともに、光量のローカリティ特性を互いに対称として、光量のローカリティを２本の線状電極間で互いに相殺して、光量のローカリティを低下させるようにしたものである。ここで、電位勾配を持たせて電流の流れる方向を確実に制御するためには線状電極の両端においてある程度の電位差を設ける必要があるが、あまり電位差が大きいと光量のローカリティが強くなってしまう。そのため、第１の電圧Ｖ１および第２の電圧Ｖ２は、式Ｖ２≧０．９Ｖ１を満たすものとすることが好ましい。
【００１３】
本発明において「固体検出器」とは、画像情報を担持する記録光の照射を受けることにより、その画像情報を静電潜像として記録し、読取光で走査されることにより、静電潜像に応じた電流を発生するものを意味し、例えば上述の特許文献１に記載された静電記録体等である。
【００１４】
なお、「記録光」としては、画像情報を担持する電磁波であって、固体検出器に照射することにより該固体検出器に画像情報を静電潜像として記録させ得るものであればどのようなものを用いてもよく、例えば光や放射線等を用い得る。
【００１５】
また「読取光」としては、固体検出器に照射することにより固体検出器内に記録されている静電潜像に応じた電流を発生させ得る電磁波であればどのようなものを用いてもよく、例えば光や放射線等を用い得る。
【発明の効果】
【００１６】
本発明による第１の読取装置によれば、第１の導電層、無機ＥＬ材料もしくは有機ＥＬ材料からなるＥＬ層、および、多数の線状電極からなる第２の導電層をこの順に積層してなる面状光源と、隣接する２本の線状電極毎に、順次隣接する２本の線状電極と第１の導電層との間に電圧を印加してＥＬ層を発光させ、走査を行わせる光源制御手段とを備え、光源制御手段を、隣接する２本の線状電極のうち、一方の線状電極の一端に第１の電圧Ｖ１を、他端に第１の電圧Ｖ１より小さい第２の電圧Ｖ２を印加し、他方の線状電極の一方の線状電極の一端側に位置する一端に第２の電圧Ｖ２を、他端に第１の電圧Ｖ１を印加することにより、ＥＬ層を発光させるものとして、隣接する２本の線状電極に互いに逆向きの電流を流すようにしたので、線状電極に電流を流すことにより生じる電磁誘導現象を２本の線状電極間で互いに相殺することができるため、固体検出器のＳ／Ｎの低下を防止することができる。また、隣接する２本の線状電極に互いに逆向きの電流を流すようにしたことにより、光量のローカリティ特性が互いに対称となり、光量のローカリティを２本の線状電極間で互いに相殺することができるため、光量のローカリティを低下させることができる。
【００１７】
また、本発明による第２の読取装置によれば、第１の導電層、無機ＥＬ材料もしくは有機ＥＬ材料からなるＥＬ層、および、多数のＵ字状電極からなる第２の導電層をこの順に積層してなる面状光源と、Ｕ字状電極毎に、順次Ｕ字状電極と第１の導電層との間に電圧を印加してＥＬ層を発光させ、走査を行わせる光源制御手段とを備え、光源制御手段を、Ｕ字状電極の一端に第１の電圧Ｖ１を印加し、他端に第１の電圧Ｖ１より小さい第２の電圧Ｖ２を印加することにより、ＥＬ層を発光させるものとして、Ｕ字状電極の一端から折返部までの間と折返部から他端までの間とで互いに逆向きの電流が流れるようにしたので、線状電極に電流を流すことにより生じる電磁誘導現象をＵ字状電極の一端から折返部までの間と折返部から他端までの間とで互いに相殺することができるため、固体検出器のＳ／Ｎの低下を防止することができる。また、Ｕ字状電極の一端から折返部までの間と折返部から他端までの間とで互いに逆向きの電流が流れるようにしたことにより、光量のローカリティ特性が互いに対称となり、光量のローカリティをＵ字状電極の一端から折返部までの間と折返部から他端までの間とで互いに相殺することができるため、光量のローカリティを低下させることができる。
【発明を実施するための最良の形態】
【００１８】
以下、図面を参照して本発明の実施の形態について詳細に説明する。図１は本発明による第１の実施の形態の読取装置を備えた放射線画像撮影読取装置の概略図、図２は上記放射線画像撮影読取装置における読取装置の電圧印加の態様を示す概略図である。
【００１９】
図１に示すように、この放射線画像撮影読取装置１は、放射線固体検出器１０と、検出器１０に積層された面状光源３０、面状光源３０を制御する光源制御手段４０および検出器１０の電荷を読み出す電流検出回路５０からなる読取部２０と、放射線照射部６０と、電流検出回路５０および放射線照射部６０と接続された制御手段７０を有している。本発明による読取装置は、上記の面状光源３０と光源制御手段４０とから構成されている。
【００２０】
検出器１０は、上記特許文献１に記載した改良型直接変換方式（直接変換且つ光読出方式）の静電記録体であって、被写体を透過した記録用の放射線（例えば、Ｘ線等；以下記録光という）が第１の導電層１１に照射されることにより記録用光導電層１２内に電荷が発生し、この発生した電荷を記録用光導電層１２と電荷輸送層１３との界面である蓄電部１６に潜像電荷として蓄積し、読取用の電磁波（以下読取光と称す）で第２の導電層１５が走査されることにより読取用光導電層１４内に電荷が発生し前記潜像電荷と電荷再結合して潜像電荷の量に応じた電流を発生するものである。読取用電極としての導電層１５は、多数の線状電極（図中の斜線部）がストライプ状に配列されて成るものである。以下導電層１５の電極をストライプ電極１５といい、各線状電極をエレメント１５ａという。
【００２１】
面状光源３０は、導電層３１、有機ＥＬ層３２、導電層３３から成るＥＬ発光体であり、上述のように検出器１０に積層されている。検出器１０のストライプ電極１５と導電層３３との間には絶縁層３４が設けられる。
【００２２】
導電層３１は、多数の線状電極（図中の斜線部）がストライプ状に配列されて成るものである。以下導電層３１の電極をストライプ電極３１といい、各線状電極をエレメント３５という。各エレメント３５は、検出器１０のストライプ電極１５の各エレメント１５ａと交差（本例では略直交）するように配列されており、これにより、エレメント３５によるライン状の光源が面状に多数配列するように構成される。各エレメント３５は光源制御手段４０に接続されている。また、導電層３３はグランドに接続されており、光源駆動時のシールド層として機能するように構成されている。
【００２３】
光源制御手段４０は、エレメント３５とそれに対向する導電層３３との間に所定の直流電圧を印加するものであり、読取時には隣接する２本のエレメント３５毎に直流電圧を印加し、前露光時には隣接する２本のエレメント３５単位で複数または全てのエレメント３５に同時に直流電圧を印加するものである。
【００２４】
例えば、隣接する２本のエレメント３５毎に順次切り替えながら、夫々のエレメント３５と導電層３３との間に所定の直流電圧を印加すると、エレメント３５と導電層３３とに挟まれた有機ＥＬ層３２からＥＬ光が発せられ、エレメント３５を透過したＥＬ光はライン状の読取光（以下ライン光という）として利用される。すなわち、面状光源３０としては、ライン状の微小光源を面状に多数配列したものと等価となり、ストライプ電極１５の長手方向の一方の端から他方の端までの全部について隣接する２本のエレメント３５毎に順次切り替えてＥＬ発光させることにより、ライン光でストライプ電極１５の全面を電気的に走査することになる。なお、エレメント１５ａの長手方向が副走査方向に対応し、ライン光の延びる方向が主走査方向に対応する。
【００２５】
一方、隣接する２本のエレメント３５単位で複数または全てのエレメント３５に同時に直流電圧を印加すると、この電圧の印加により有機ＥＬ層３２からストライプ電極１５の全面に亘って略一様にＥＬ光が発せられ、このＥＬ光が前露光用の電磁波（以下前露光光という）として利用される。つまり、面状光源３０は読取光源としてだけでなく、前露光用の光源としても機能するように構成されている。
【００２６】
ところで、本実施の形態においては導電層３３をシールド層として機能させているため、エレメント３５に電流を流すことにより生じる電磁誘導現象によるノイズの検出器１０に対する影響を著しく低減させることができるが、それでも完全に影響を無くすことはできない。
【００２７】
このような問題を解消するため、光源制御手段４０は、図２に示すように、隣接する２本のエレメント３５毎に直流電圧を印加する際に、隣接する２本のエレメント３５のうち、一方のエレメント３５の一端３５ａに駆動電圧Ｖ１（第１の電圧）を、他端３５ｂに駆動電圧の９５％の電圧Ｖ２（第２の電圧）を印加し、他方のエレメント３５の一端３５ａに電圧Ｖ２を、他端３５ｂに電圧Ｖ１を印加することにより、ＥＬ層を発光させるものとして、隣接する２本のエレメント３５に互いに逆向きの電流を流すように構成されている。
【００２８】
そのため、エレメント３５に電流を流すことにより生じる電磁誘導現象を２本のエレメント３５間で互いに相殺することができるため、検出器１０から静電潜像を読み取る際のＳ／Ｎの低下を防止することができる。また、隣接する２本のエレメント３５に互いに逆向きの電流を流すようにしたことにより、光量のローカリティ特性が互いに対称となり、光量のローカリティを２本のエレメント３５間で互いに相殺することができるため、光量のローカリティを低下させることができる。
【００２９】
光源制御手段４０には、制御信号Ｃ１が入力されるようになっており、制御信号Ｃ１がＬ（ロー）のときには前露光モード、Ｈ（ハイ）のときには記録光モードとなる。制御信号Ｃ１がハイインピーダンス状態のときには面状光源３０からはＥＬ光が発せられない。
【００３０】
電流検出回路５０は、ストライプ電極１５の各エレメント１５ａ毎に、反転入力端子に接続された電流検出アンプ５１を多数有している。検出器１０の導電層１１はスイッチ５２の一方の入力および電源（電圧印加手段）５３の負極に接続されており、電源５３の正極はスイッチ５２の他方の入力に接続されている。図示していないが、スイッチ５２の出力は各電流検出アンプ５１の非反転入力端子に共通に接続されている。面状光源３０から読取光としてのライン光がストライプ電極１５側に露光されることにより、各電流検出アンプ５１は、各エレメント１５ａに流れる電流を、接続された各エレメント１５ａについて同時（並列的）に検出する。なお、電流検出アンプ５１の構成の詳細については、本発明の要旨に関係がないのでここでは詳細な説明を省略するが、周知の構成を種々適用することが可能である。電流検出アンプ５１の構成によっては、スイッチ５２および電源５３並びに各エレメント１５ａとの接続態様が上記とは異なるものとなるのは勿論である。
【００３１】
放射線照射部６０は、放射線Ｒを発する放射線源６１、放射線源６１を駆動する電力を発生する高電圧発生器６２、高電圧発生器６２と接続された撮影をコントロールするスイッチ６３とからなる。スイッチ６３は、スイッチ６３ａ、６３ｂから成る２段スイッチとなっており、スイッチ６３ａがオンしなければスイッチ６３ｂはオンしないように構成されている。
【００３２】
上記構成の放射線画像撮影読取装置１の作用について説明する。
【００３３】
先ず、撮影に先立って、光源制御手段４０に入力される制御信号Ｃ１をＬ（前露光モード）にして前露光を行い、蓄電部１６に蓄積されている不要な電荷を放出させる。このとき、スイッチ５２はどのような状態にあってもよい。
【００３４】
次に、検出器１０に静電潜像を記録する際には、先ず検出器１０内の記録用光導電層１２で発生した電荷を蓄電部１６に蓄積させることができるように、スイッチ５２を電源５３側に切り換えて導電層１１とストライプ電極１５との間に電源５３から直流電圧を印加して、両者を帯電させる。この後、スイッチ６３ａをオンして高電圧発生器６２から高圧ＨＶを発生させ、高電圧発生器６２に設けられた不図示のスタンバイランプが点灯し高圧ＨＶが安定した後、制御信号Ｃ１をハイインピーダンス状態として前露光を停止すると共にスイッチ６３ｂをオンすると高電圧発生器６２から高圧ＨＶが放射線源６１に供給され、放射線源６１から放射線Ｒが照射される。この放射線Ｒを被写体65に爆射し、被写体65を透過した被写体65の放射線画像情報を担持する記録光Ｑを検出器１０に照射する。すると、検出器１０の記録用光導電層１２内で正負の電荷対が発生し、その内の負電荷が所定の電界分布に沿ってストライプ電極１５の各エレメント１５ａに集中せしめられ、記録用光導電層１２と電荷輸送層１３との界面である蓄電部１６に潜像電荷として蓄積される。潜像電荷の量は照射放射線量に略比例するので、この潜像電荷が静電潜像を担持することとなる。一方、記録用光導電層１２内で発生する正電荷は導電層１１に引き寄せられて、電源５３から注入された負電荷と電荷再結合し消滅する。
【００３５】
次に、検出器１０から静電潜像を読み取る際には、先ず制御信号Ｃ１をＨ（記録光モード）にし、スイッチ５２を検出器１０の導電層１１側に接続して、光源制御手段４０により、隣接する２本のエレメント３５毎に順次切り替えながら、夫々のエレメント３５と導電層３３との間に所定の直流電圧を印加して、有機ＥＬ層３２から発せられるライン光で検出器１０の全面を電気的に走査する。
【００３６】
このライン光による走査により副走査位置に対応するライン光が入射した光導電層１４内に正負の電荷対が発生し、その内の正電荷が蓄電部１６に蓄積された負電荷（潜像電荷）に引きつけられるように電荷輸送層１３内を急速に移動し、蓄電部１６で潜像電荷と電荷再結合し消滅する。一方、光導電層１４に生じた負電荷は電源５３から導電層１５に注入される正電荷と電荷再結合し消滅する。このようにして、検出器１０に蓄積されていた負電荷が電荷再結合により消滅し、この電荷再結合の際の電荷の移動による電流が検出器１０内に生じる。この電流を各エレメント１５ａ毎に接続された各電流検出アンプ５１が同時に検出する。読取りの際に検出器１０内を流れる電流は、潜像電荷すなわち静電潜像に応じたものであるから、この電流を検出することにより静電潜像を読み取る、すなわち静電潜像を表す画像信号を取得することができる。
【００３７】
なお、本実施の形態においては、検出器１０のストライプ電極１５の全面を電気的に走査する際に、隣接する２本のエレメント３５毎に順次切り替えながら、夫々のエレメント３５と導電層３３との間に所定の直流電圧を印加するようにしたが、本発明による読取装置はこのような態様に限定されるものではなく、検出器１０の画素ピッチ（ストライプ電極１５の配列ピッチ）に対応して、隣接する２本のエレメント３５を１組として、複数組のエレメント３５毎に順次切り替えて走査を行うようにしてもよい。
【００３８】
次に、本発明による読取装置の第２の実施の形態について説明する。本実施の形態は上記第１の実施の形態と比較して、面状光源の線状電極（エレメント）の形状を変更し、それに伴い光源制御手段による電圧の印加の態様を変更したものである。
【００３９】
本実施の形態の読取装置を備えた放射線画像撮影読取装置は、上記第１の実施の形態と略同等であるため放射線画像撮影読取装置の概略図は省略する。図３は上記放射線画像撮影読取装置における読取装置の電圧印加の態様を示す概略図である。なお、図３においては、図１に示す上述の放射線画像撮影読取装置の要素と同等の要素には同番号を付し、それらについての説明は特に必要のない限り省略する。
【００４０】
本実施の形態の面状光源３０は、導電層３１、有機ＥＬ層３２、導電層３３から成るＥＬ発光体であり、第１の実施の形態と同様に、検出器１０に積層されている。検出器１０のストライプ電極１５と導電層３１との間には絶縁層３４が設けられる。導電層３１は、多数のＵ字状電極が配列されて成るものである。以下各Ｕ字状電極をエレメント３６という。各エレメント３６は、長手方向（端部３６ａ、３６ｂから折返部３６ｃに延びる方向）が検出器１０のストライプ電極１５の各エレメント１５ａと交差（本例では略直交）するように配列されており、これにより、エレメント３６によるライン状の光源が面状に多数配列するように構成される。各エレメント３６は光源制御手段４０に接続されている。
【００４１】
光源制御手段４０は、エレメント３６とそれに対向する導電層３３との間に所定の直流電圧を印加するものであり、読取時にはエレメント３６毎に直流電圧を印加し、前露光時には複数または全てのエレメント３６に同時に直流電圧を印加するものである。
【００４２】
例えば、エレメント３６毎に順次切り替えながら、夫々のエレメント３６と導電層３３との間に所定の直流電圧を印加すると、エレメント３６と導電層３３とに挟まれた有機ＥＬ層３２からＥＬ光が発せられ、エレメント３６を透過したＥＬ光はライン状の読取光（以下ライン光という）として利用される。すなわち、面状光源３０としては、ライン状の微小光源を面状に多数配列したものと等価となり、ストライプ電極１５の長手方向の一方の端から他方の端までの全部についてエレメント３６毎に順次切り替えてＥＬ発光させることにより、ライン光でストライプ電極１５の全面を電気的に走査することになる。なお、エレメント１５ａの長手方向が副走査方向に対応し、ライン光の延びる方向が主走査方向に対応する。
【００４３】
一方、複数または全てのエレメント３６に同時に直流電圧を印加すると、この電圧の印加により有機ＥＬ層３２からストライプ電極１５の全面に亘って略一様にＥＬ光が発せられ、このＥＬ光が前露光用の電磁波（以下前露光光という）として利用される。つまり、面状光源３０は読取光源としてだけでなく、前露光用の光源としても機能するように構成されている。
【００４４】
光源制御手段４０は、図３に示すように、エレメント３６に直流電圧を印加する際に、エレメント３６の一端３６ａに駆動電圧Ｖ１（第１の電圧）を、他端３６ｂに駆動電圧の９５％の電圧Ｖ２（第２の電圧）を印加することにより、ＥＬ層を発光させるように構成されている。
【００４５】
そのため、エレメント３６の一端３６ａから折返部３６ｃまでの間と折返部３６ｃから他端３６ｂまでの間とで互いに逆向きの電流が流れるようになり、エレメント３６に電流を流すことにより生じる電磁誘導現象をエレメント３６の一端３６ａから折返部３６ｃまでの間と折返部３６ｃから他端３６ｂまでの間とで互いに相殺することができるため、検出器１０から静電潜像を読み取る際のＳ／Ｎの低下を防止することができる。また、エレメント３６の一端３６ａから折返部３６ｃまでの間と折返部３６ｃから他端３６ｂまでの間とで互いに逆向きの電流が流れるようにしたことにより、光量のローカリティ特性が互いに対称となり、光量のローカリティをエレメント３６の一端３６ａから折返部３６ｃまでの間と折返部３６ｃから他端３６ｂまでの間とで互いに相殺することができるため、光量のローカリティを低下させることができる。
【００４６】
なお、本実施の形態においては、検出器１０のストライプ電極１５の全面を電気的に走査する際に、１つのエレメント３６毎に順次切り替えながら、夫々のエレメント３６と導電層３３との間に所定の直流電圧を印加するようにしたが、本発明による読取装置はこのような態様に限定されるものではなく、検出器１０の画素ピッチ（ストライプ電極１５の配列ピッチ）に対応して、複数のエレメント３６毎に順次切り替えて走査を行うようにしてもよい。
【００４７】
なお、上記第１および第２の実施の形態において、面状光源のＥＬ層には有機ＥＬを用いたが、無機ＥＬを用いることも可能であり、その場合には、同様の考え方で交流駆動すればよい。
【図面の簡単な説明】
【００４８】
【図１】第１の実施の形態の読取装置を備えた放射線画像撮影読取装置の概略図
【図２】上記放射線画像撮影読取装置における読取装置の電圧印加の態様を示す概略図
【図３】第２の実施の形態の読取装置を備えた放射線画像撮影読取装置における読取装置の電圧印加の態様を示す概略図
【符号の説明】
【００４９】
１    放射線画像撮影読取装置
１０    放射線固体検出器
２０    読取部
３０    面状光源
４０    光源制御手段
５０    電流検出回路
６０    放射線照射部
７０    制御手段
【図１】
2005058525.tif 000003
【図２】
2005058525.tif 000004
【図３】
2005058525.tif 000005